(57)【要約】【目的】　配線基板が取付板にワンタッチ操作で取付けられるようにする。【構成】　遊技盤の前面に装着される入賞装置などの電動役物の裏側に取付板１を固着し、該取付板１の一側端に配線基板１４の一方端部１４ａを受け止めて押圧する弾性片１７を設けると共に、他側端に配線基板１４の他方端部１４ｂを係止する係止部１９を突設し、該係止部１９と弾性片１７とで配線基板１４を挟着固定するようにした。【選択図】　図３
2004008808.tif 000002
【特許請求の範囲】
【請求項１】
　遊技盤の前面に装着される入賞装置などの電動役物の裏側に取付板を固着し、該取付板の一側端に配線基板の一方端部を受け止めて押圧する弾性片を設けると共に、他側端に配線基板の他方端部を係止する係止部を突設し、該係止部と弾性片とで配線基板を挟着固定するようにしたことを特徴とする電動役物における配線基板の取付構造。
【請求項２】
　弾性片の先端に配線基板の表面を押圧する当接部を一体に突設した請求項１記載の電動役物における配線基板の取付構造。
【請求項３】
　係止部又は弾性片を設けてない取付板の側縁に配線基板の側端部を係止する係止部を突設した請求項１または請求項２記載の電動役物における配線基板の取付構造。
【発明の詳細な説明】
【発明の詳細な説明】
【産業上の利用分野】
【０００１】　本発明は、例えばパチンコ機の遊技盤面に装着される入賞装置や可変表示装置等の電動役物に取り付けられる配線基板の取付構造に関するものである。
【背景技術】
【０００２】　従来、この種電動役物はその裏側に取付板を固着し、この取付板に対して配線基板を複数本のビスで螺締して固定するようにしていた。
【発明が解決しようとする課題】
【０００３】　このように従来の配線基板は、取付板にビス止めされていたので、その作業が面倒で手間が掛かり、作業能率が悪いという課題が有った。
　それ故に本発明の目的は、このような従来の課題を解決すべくなされたもので、配線基板の取付けがワンタッチ操作で簡単かつ迅速に行なえる電動役物における配線基板の取付構造を提供することにある。
【課題を解決するための手段】
【０００４】　かかる目的を達成するため、本発明の電動役物における配線基板の取付構造は、遊技盤の前面に装着される入賞装置などの電動役物の裏側に取付板を固着し、該取付板の一側端に配線基板の一方端部を受け止めて押圧する弾性片を設けると共に、他側端に配線基板の他方端部を係止する係止部を突設し、該係止部と弾性片とで配線基板を挟着固定するようにした。
　また、弾性片の先端に配線基板の表面を押圧する当接部を一体に突設した。
　さらにまた、係止部又は弾性片を設けてない取付板の側縁に配線基板の側端部を係止する係止部を突設してなる。
【作用】
【０００５】　配線基板の一方端部を取付板の一側端に設けた弾性片に押付け該弾性片を撓ませた状態で、配線基板の他方端部を取付板の他側端に設けた係止部に係止させ、係止部と弾性片とで配線基板を挟着固定することによりその取付けが完了する。
　また、弾性片の先端に設けた当接部により配線基板の表面を押圧して、該配線基板が外れないよう安定に保持する。
　さらに、取付板の一側端とこれに隣接する側縁にそれぞれ設けた係止部により支持させることで、配線基板が取付板により一層強固に保持される。
【実施例】
【０００６】　以下に本発明の一実施例を図面と共に説明する。図１は本発明の配線基板の取付構造を採用した電動役物Ａを正面から見た斜視図、図２はその裏面から見た斜視図である。この電動役物Ａは遊技盤（図示せず。）に取付けられる取付基板１の前面の上半部に可変表示器２をまた、その下半部に変動入賞口３を組み付けている。
　可変表示器２の前面には、複数の数字，文字，図柄等の記号を複数表示する画面４が設けられ、上部に一対の可動翼片５，５が開閉動作する天入賞口６を設けている。
　また、変動入賞口３には下部両側に開閉動作する一対の可動翼片７，７が軸着され、その下部前面に可動翼片７，７の開放動作回数を表示する表示部８が設けられている。【０００７】　さらに、前記画面４並びに変動入賞口３のそれぞれ両側に装飾ランプ９が複数配設してある。
　取付板１の裏面に球通路を形成するケース体１０が設けられ、さらに該ケース体１０の裏面に前記可動翼片５，５及び７，７を開閉動作させるソレノイド１１及び１２が装着されている。【０００８】　そして、遊技盤面に装着される始動入賞口（図示せず。）に打球が入賞すると、画面４の数字等が変動し、特定の条件を満す、例えば同じ数字が並ぶと、変動入賞口３の可動翼片５，５が数秒間開放される。この間に、天入賞口６に打球が入賞すると、特別の権利が獲得でき、遊技盤面に装着される特定入賞口（図示せず。）に打球が入賞すると、変動入賞口３両側の可動翼片７，７が、一定時間（例えば３０秒）又は１０個の入賞球がカウントされるまで開放し続け、一度に多くの入賞球が発生するようにしている。
　なお、可動翼片７，７の開放する回数は通例１６回までとされており、前記表示部８にその回数が表示されるようにしている。【０００９】　１３はケース体１０の裏面から後方へ複数本突出させた支持杆で、これら支持杆１３の後端に後記する配線基板１４を取り付けするための取付板１５がビス止めされている。
　取付板１５は長方形状から成り、その周囲が縁枠１６で囲われる箱形状に形成され、その対向する一組の側端（図３では上下側端）の内、下側端の側枠１６ａの内側に中央基端部１７ａから支片１７ｂ，１７ｂを二又状に伸ばして形成される円弧状の弾性片１７を設けると共に、該各支片１７ｂ，１７ｂの上端に受止部１８，１８を設けている。また、上側端の側枠１６ｂには内側を向く係止部１９を設けている。尚、２０は側枠１６ｂの内側に沿って設けられる受止段部である。【００１０】　配線基板１４は、前記取付板１５に略合致する大きさから成り、その表面に表示部８、各装飾ランプ９またはソレノイド１１，１２等の電気配線（図示せず）を接続するコネクター２１や電気抵抗２２等の電気部品が取付けられる。また、両側下端部に弾性片１７の先端の受止部１８，１８に当接する切欠き２３，２３が設けられる。さらに配線基板１４には上隅コーナー部と中央に取付板１５を支持杆１３に止着したビス頭が臨む凹部２３′，２３′と通孔２４とを設けている。【００１１】　本発明の配線基板の取付構造は前記構成よりなり、配線基板１４の一方端部１４ａ（図３で下端部）を取付板１５の弾性片１７の受止部１８，１８上に当てがい、力を加え配線基板１４を下方へ押し下げて該弾性片１７を撓ませ、この状態で配線基板１４の他方端部１４ｂ（図３で上端部）を取付板１５に押付けつつ係止部１９に係止させれば配線基板１４は受止段部２０と弾性片１７に当接されると共に、弾性片１７の弾発力により係止部１９側に押され弾性片１７と係止部１９との間で挟着固定される。これにより、配線基板１４の取付けが完了する。
　また、このように取付板１５に固定させた配線基板１４を必要に応じて取付板１５から取り外すには、弾性片１７を下方へ押圧しつつ、他側端の係止部１９から配線基板１４の他方端部を外してやることで簡単に取外すことができる。【００１２】　図６に示したものは他の実施例を示すもので、前記弾性片１７の両支片１７ｂ，１７ｂに設けた受止部１８，１８の先端にそれぞれ当接部２５，２５を延設した実施例である。
　この実施例のものは配線基板１４が取付板１５から外れようとしても、切欠き２３，２３に係合する当接部２２，２２が配線基板１４の表面に当接するので、容易に脱落することがなくしっかりと固定される。【００１３】　更に、図７に示したものも他の実施例を示すもので、取付板１５の対向する他の一組の側端（図では左右側端）の側枠１６ｃ，１６ｄの内側に弾性片１７と向き合う係止部１９ａ，１９ａを設けた実施例であり、配線基板１４には該各係止部１９ａ，１９ａと係合する切込み２６，２６を設けている。
　この実施例のものも、前記当接部２５，２５を設けた実施例と同様に係止部１９ａ，１９ａが切込み２６，２６に係合して配線基板１４の側端部１４ｃ，１４ｄを係止するので、容易に脱落することはない。
　なお、上記実施例の他に係止部１９，１９ａと当接部２５を総て設けても良い。更には、取付板１５の下側端１６ａの両側に覆板２７，２７を固着し、該覆板２７，２７の内側に配線基板１４の下端部１４ａの両端部を差し込むようにすれば、取付状態が極めて強固になし得る。
【発明の効果】
【００１４】　以上に述べたように本発明の電動役物における配線基板の取付構造は、配線基板を取付板の係止部と弾性片とで挟着固定するようにしたので、取付けがワンタッチ操作により簡単に行なえ、作業能率が向上するという効果を有する。
　また、取付板に取付けられる配線基板は係止部又は当接部でしっかりと保持されるので、脱落するおそれは全くない。しかも、配線基板を取り外す場合も簡単且つ容易に取り外しができるので、電動役物が故障して交換する場合なども便利である等有益な効果を奏する。
【図面の簡単な説明】
【図１】　本発明の実施に係る電動役物の前面斜視図。
【図２】　同裏面斜視図。
【図３】　配線基板と取付板の分解斜視図。
【図４】　配線基板を取付板に取付けた状態の正面図。
【図５】　図４のＸ−Ｘ線断面図。
【図６】　配線基板と取付板の他の実施例を示す分解斜視図。
【図７】　同他の実施例を示す分解斜視図。
【符号の説明】
１　　　　　　取付板
１４　　　　　配線基板
１４ａ　　　　一方端部
１４ｂ　　　　他方端部
１７　　　　　弾性片
１９，１９ａ　係止部
２５，２５　　当接部
【図１】
2004008808.tif 000003
【図２】
2004008808.tif 000004
【図３】
2004008808.tif 000005
【図４】
2004008808.tif 000006
【図５】
2004008808.tif 000007
【図６】
2004008808.tif 000008
【図７】
2004008808.tif 000009
【手続補正書】
【提出日】平成15年8月27日(2003.8.27)
【手続補正１】
【補正対象書類名】明細書
【補正対象項目名】特許請求の範囲
【補正方法】変更
【補正の内容】
【特許請求の範囲】
　　【請求項１】　遊技盤の前面に装着される入賞装置などの電動役物の裏側に取付板を固着し、該取付板の一側端に配線基板の一方端部を受け止めて押圧する弾性片を設けると共に、他側端に配線基板の他方端部を係止する係止部を突設し、該係止部と弾性片とで配線基板を挟着固定するようにしたことを特徴とする電動役物における配線基板の取付構造。
　　【請求項２】　係止部又は弾性片を設けてない取付板の側縁に配線基板の側端部を係止する係止部を突設した請求項１記載の電動役物における配線基板の取付構造。